(57)【要約】【課題】瞬間的な感電を防ぐために電磁式スイッチを有する漏れ電流保護回路を備える交流電源（ＡＣ）直結型ランプを提供すること。【解決手段】外部電源を入力される入力端と、前記入力端から入力された前記外部電源を整流する整流回路と、前記整流回路の出力端に電気的に接続されて、整流回路、スイッチモジュール、光源のうちの少なくともいずれか一つの状態を感知して制御する制御モジュールと、前記入力端と前記制御モジュールとの間にフィードバック状に接続されて、既に設定された条件に応じてスイッチをオン／オフにするスイッチモジュールと、前記制御モジュールと電気的に接続されて、電源が印加されると光を照射する光源と、を備える漏れ電流保護回路を備える交流電源（ＡＣ）直結型ランプ。【選択図】図３
2017063607.tif 000002
【特許請求の範囲】
【請求項１】
外部電源を入力される入力端と、
前記入力端から入力された前記外部電源を整流する整流回路と、
前記整流回路の出力端に電気的に接続されて、整流回路、スイッチモジュール、光源のうちの少なくともいずれか一つの状態を感知して制御する制御モジュールと、
前記入力端と前記制御モジュールとの間にフィードバック状に接続されて、既に設定された条件に応じてスイッチをオン／オフにするスイッチモジュールと、
前記制御モジュールと電気的に接続されて、電源が印加されると光を照射する光源と、
を備える漏れ電流保護回路を備える交流電源（ＡＣ）直結型ランプ。
【請求項２】
前記入力端、前記整流回路の入力端と並列に接続される電磁干渉（ＥＭＩ）フィルタモジュールをさらに備える請求項１に記載の漏れ電流保護回路を備える交流電源（ＡＣ）直結型ランプ。
【請求項３】
前記整流回路の出力端と前記制御モジュールとの間に直列に接続されて、前記スイッチモジュールがオフ状態である場合に逆方向の電流を遮断するバイパスダイオードをさらに備える請求項１に記載の漏れ電流保護回路を備える交流電源（ＡＣ）直結型ランプ。
【請求項４】
前記整流回路の出力端と並列に接続されて、入力電源の歪みを補正する電解キャパシタをさらに備える請求項１に記載の漏れ電流保護回路を備える交流電源（ＡＣ）直結型ランプ。
【請求項５】
前記整流回路は、
ブリッジダイオードであることを特徴とする請求項１に記載の漏れ電流保護回路を備える交流電源（ＡＣ）直結型ランプ。
【請求項６】
前記スイッチモジュールは、
整流ダイオードと、
電圧分配の役割を果たす第１の抵抗及び第２の抵抗と、
既に設定された条件に応じてオン／オフにするスイッチ素子と、
を備えることを特徴とする請求項１に記載の漏れ電流保護回路を備える交流電源（ＡＣ）直結型ランプ。
【請求項７】
前記スイッチモジュールは、
ノイズフィルタリングの役割を果たす高周波（ＲＦ）フィルタモジュールをさらに備えることを特徴とする請求項６に記載の漏れ電流保護回路を備える交流電源（ＡＣ）直結型ランプ。
【請求項８】
前記スイッチ素子は、
スイッチ素子に印加される電圧の大きさに応じてオン／オフにすることを特徴とする請求項６に記載の漏れ電流保護回路を備える交流電源（ＡＣ）直結型ランプ。
【請求項９】
前記スイッチ素子は、
サイリスタ（ＳＣＲ）または電界効果トランジスタ（ＦＥＴ）であることを特徴とする請求項６に記載の漏れ電流保護回路を備える交流電源（ＡＣ）直結型ランプ。
【請求項１０】
前記スイッチモジュールは、
整流ダイオードと、
既に設定された電圧以上の電圧が印加されると動作する過渡電圧抑制（ＴＶＳ）ダイオードと、
前記過渡電圧抑制（ＴＶＳ）ダイオードの損傷を防ぐ保護抵抗と、
既に設定された条件に応じてオン／オフにするスイッチ素子と、
を備えることを特徴とする請求項１に記載の漏れ電流保護回路を備える交流電源（ＡＣ）直結型ランプ。
【請求項１１】
前記過渡電圧抑制（ＴＶＳ）ダイオードは、
ダイオードに印加される電圧が５４Ｖ以上である場合に動作することを特徴とする漏れ電流保護回路を備える請求項１０に記載の交流電源（ＡＣ）直結型ランプ。
【請求項１２】
前記スイッチモジュールは、
ノイズフィルタリングの役割を果たす高周波（ＲＦ）フィルタモジュールをさらに備えることを特徴とする請求項１０に記載の漏れ電流保護回路を備える交流電源（ＡＣ）直結型ランプ。
【請求項１３】
前記スイッチ素子は、
スイッチ素子に印加される電圧の大きさに応じてオン／オフにすることを特徴とする請求項１０に記載の漏れ電流保護回路を備える交流電源（ＡＣ）直結型ランプ。
【請求項１４】
前記スイッチ素子は、
サイリスタ（ＳＣＲ）または電界効果トランジスタ（ＦＥＴ）であることを特徴とする請求項１０に記載の漏れ電流保護回路を備える交流電源（ＡＣ）直結型ランプ。
【請求項１５】
前記入力端に外部電源が正常に入力される場合、前記スイッチモジュールはオン状態であり、
前記入力端に外部電源が正常に入力されない場合、前記スイッチモジュールはオフ状態であることを特徴とする請求項１に記載の漏れ電流保護回路を備える交流電源（ＡＣ）直結型ランプ。
【請求項１６】
前記光源は、
発光ダイオード（ＬＥＤ）であることを特徴とする請求項１に記載の漏れ電流保護回路を備える交流電源（ＡＣ）直結型ランプ。
【請求項１７】
前記交流電源（ＡＣ）直結型ランプは、
直管型ランプであることを特徴とする請求項１に記載の漏れ電流保護回路を備える交流電源（ＡＣ）直結型ランプ。
【発明の詳細な説明】
【技術分野】
【０００１】
本発明は、外部電源を入力される入力端と、入力端から入力された外部電源を整流する整流回路と、整流回路の出力端に電気的に接続されて、整流回路、スイッチモジュール、光源のうちの少なくともいずれか一つの状態を感知して制御する制御モジュールと、入力端と制御モジュールとの間にフィードバック状に接続されて、既に設定された条件に応じてスイッチをオン／オフにするスイッチモジュールと、制御モジュールと電気的に接続されて、電源が印加されると光を照射する光源と、を備える漏れ電流保護回路を備える交流電源（ＡＣ）直結型ランプに関する。
【背景技術】
【０００２】
従来の発光ダイオード（ＬＥＤ）ランプは、図１ａに示すように、外部電源１２０がランプ１３０の電極の一方の端１２１にのみ接続される交流電源（ＡＣ）直結型（組込み型）ランプが絶縁型ドライブ方式により実現されたが、最近の発光ダイオード（ＬＥＤ）ランプは、図１ｂに示すように、外部電源１２０がランプ１３０の電極の両端１２１、１２２に接続される交流電源（ＡＣ）直結型（組込み型）ランプが非絶縁方式により実現される。
【０００３】
図２を参照すると、非絶縁方式の交流電源（ＡＣ）直結型ランプの場合、電源２１０の印加前にランプ２３０の両端２３１、２３２を正常に接続しなければドライブ制御モジュールが動作しない。ところが、電源２１０が印加された状態で、ランプの一方の端２３１が電源に接続され、ランプの他方の端２３２にユーザー２４０が触れたとき、接地（ＧＮＤ）に漏れ電流（ｌｅａｋａｇｅ ｃｕｒｒｅｎｔ）が流れてユーザーに瞬間的な感電の危険を与えてしまうという問題が存在していた。
【０００４】
また、ユーザーがランプを取り替えたり整備したりするとき、漏れ電流（ｌｅａｋａｇｅｃｕｒｒｅｎｔ）による感電を防ぐために接触式プッシュ方式など通常の機械式スイッチを用いていた。ところが、ランプへの電源の印加に当たって、最初には、約１ｋＶ以上の駆動電圧が０．２秒間印加されるが、機械式スイッチを適用した製品は、長時間に亘って使用すると、機械式スイッチそれ自体の内部金属プレートに高圧電源が印加され続ける。このため、オープン状態にあるべき機械式スイッチが瞬時に物理的に短絡状態に陥ってしまう場合が生じ、ユーザーに瞬間的な感電の危険を与えてしまうという問題があった。
【０００５】
また、機械式スイッチは、発光ダイオード（ＬＥＤ）ランプにおいて最も重要な争点として取り上げられる放水が適用できないが故に、スイッチの間に湿気が浸透してしまい、これは、不良の発生につながる。したがって、瞬間的な過電圧を遮断し、且つ、漏れ電流を防ぐ交流電源（ＡＣ）直結型ランプの実現方案への取り組みが盛んに行われていた。
【発明の開示】
【発明が解決しようとする課題】
【０００６】
本発明は、上述したように、瞬間的な感電を防ぐために電磁式スイッチを有し、且つ、漏れ電流保護回路を備える交流電源（ＡＣ）直結型ランプを提供することを目的とする。
【０００７】
本発明が解決しようとする技術的課題は、上述した技術的課題に何等制限されるものではなく、後述する内容から通常の技術者にとって自明な範囲内において種々の技術的課題が含まれ得る。
【課題を解決するための手段】
【０００８】
上述した課題を解決するための本発明の一実施形態による交流電源（ＡＣ）直結型ランプは、外部電源を入力される入力端と、前記入力端から入力された前記外部電源を整流する整流回路と、前記整流回路の出力端に電気的に接続されて、整流回路、スイッチモジュール、光源のうちの少なくともいずれか一つの状態を感知して制御する制御モジュールと、
前記入力端と前記制御モジュールとの間にフィードバック状に接続されて、既に設定された条件に応じてスイッチをオン／オフにするスイッチモジュールと、前記制御モジュールと電気的に接続されて、電源が印加されると光を照射する光源と、を備える漏れ電流保護回路を備えることを特徴とする。
【０００９】
また、本発明の一実施形態による漏れ電流保護回路を備える交流電源（ＡＣ）直結型ランプは、前記入力端、前記整流回路の入力端と並列に接続される電磁干渉（ＥＭＩ）フィルタモジュール、前記整流回路の出力端と前記制御モジュールとの間に直列に接続されて、前記スイッチモジュールがオフ状態である場合に逆方向の電流を遮断するバイパスダイオード、前記整流回路の出力端と並列に接続されて、入力電源の歪みを補正する電解キャパシタをさらに備えることを特徴とする。
【００１０】
さらに、本発明の一実施形態による漏れ電流保護回路を備える交流電源（ＡＣ）直結型ランプは、前記整流回路がブリッジダイオードであることを特徴とする。
【００１１】
さらにまた、本発明の一実施形態による漏れ電流保護回路を備える交流電源（ＡＣ）直結型ランプは、前記スイッチモジュールが整流ダイオードと、電圧分配の役割を果たす第１の抵抗及び第２の抵抗と、既に設定された条件に応じてオン／オフにするスイッチ素子と、を備えることを特徴とする。
【００１２】
さらにまた、本発明の一実施形態による漏れ電流保護回路を備える交流電源（ＡＣ）直結型ランプは、前記スイッチモジュールが、整流ダイオードと、既に設定された電圧以上の電圧が印加されると動作する過渡電圧抑制（ＴＶＳ）ダイオードと、前記過渡電圧抑制（ＴＶＳ）ダイオードの損傷を防ぐ保護抵抗と、既に設定された条件に応じてオン／オフにするスイッチ素子と、を備えることを特徴とする。
【００１３】
このとき、本発明の一実施形態による漏れ電流保護回路を備える交流電源（ＡＣ）直結型ランプは、前記過渡電圧抑制（ＴＶＳ）ダイオードが、ダイオードに印加される電圧が５４Ｖ以上である場合に動作することを特徴とする。
【００１４】
また、本発明の一実施形態による漏れ電流保護回路を備える交流電源（ＡＣ）直結型ランプは、前記スイッチモジュールが、ノイズフィルタリングの役割を果たす高周波（ＲＦ）フィルタモジュールをさらに備えることを特徴とする。
【００１５】
さらに、本発明の一実施形態による漏れ電流保護回路を備える交流電源（ＡＣ）直結型ランプは、前記スイッチ素子が、スイッチ素子に印加される電圧の大きさに応じてオン／オフにすることを特徴とし、前記スイッチ素子は、サイリスタ（ＳＣＲ）または電界効果トランジスタ（ＦＥＴ）であることを特徴とする。
【００１６】
さらにまた、本発明の一実施形態による漏れ電流保護回路を備える交流電源（ＡＣ）直結型ランプは、前記入力端に外部電源が正常に入力される場合、前記スイッチモジュールはオン状態であり、前記入力端に外部電源が正常に入力されない場合、前記スイッチモジュールはオフ状態であることを特徴とする。
【００１７】
加えて、本発明の一実施形態による漏れ電流保護回路を備える交流電源（ＡＣ）直結型ランプは、前記光源が発光ダイオード（ＬＥＤ）であることを特徴とし、前記交流電源（ＡＣ）直結型ランプが直管型ランプであることを特徴とする。
【発明の効果】
【００１８】
本発明によれば、瞬間的な感電を防ぐために電磁式スイッチを備える交流電源（ＡＣ）直結型ランプを提供して、落下及び点灯不良などの事故から消費者を保護することができる。
【００１９】
また、従来の機械式スイッチを適用する場合、金型不良及び組立て不良が生じる虞があり、金型の取替えに約４千ウォン〜６千ウォンのコストが別途にかかる。しかしながら、本発明の漏れ電流保護回路を備える交流電源（ＡＣ）直結型ランプは、電磁式スイッチを用いることから、別途の金型不良が生じるという問題が発生しない。
【００２０】
さらに、本発明の漏れ電流保護回路を備える交流電源（ＡＣ）直結型ランプには防水処理が施されることから、湿度の高い地域（例えば、屋外など）に設置可能であり、その結果、顧客社が設置する設置自由度が向上する。
【００２１】
さらにまた、本発明の漏れ電流保護回路を備える交流電源（ＡＣ）直結型ランプは、スイッチモジュールを備えて入力端に非正常的な電源が入力される場合、スイッチモジュールがオフ状態に入るので、感電の危険を効果的に防ぐことができる。
【図面の簡単な説明】
【００２２】
【図１ａ】従来の技術の一実施形態による交流電源（ＡＣ）直結型ランプの実施形態を示す例示図である。
【図１ｂ】従来の技術の一実施形態による交流電源（ＡＣ）直結型ランプの実施形態を示す例示図である。
【図２】従来の技術の一実施形態による交流電源（ＡＣ）直結型ランプの実施形態を示す例示図である。
【図３】本発明の一実施形態による漏れ電流保護回路を備える交流電源（ＡＣ）直結型ランプを示す構成図である。
【図４】本発明の他の実施形態による漏れ電流保護回路を備える交流電源（ＡＣ）直結型ランプを示す例示図である。
【発明を実施するための形態】
【００２３】
以下、添付図面を参照して本発明による「漏れ電流保護回路を備える交流電源（ＡＣ）直結型ランプ」について詳細に説明する。ここで説明する実施形態は、本発明の技術思想を通常の技術者が理解し易くするために提供されるものであり、これらにより本発明が限定されることはない。なお、添付図面に示す事項は、本発明の実施形態を説明し易いように図式化されたものであり実際に実現される形態と異なる場合がある。
【００２４】
一方、後述する各構成部は、本発明を実現するための例に過ぎない。したがって、本発明の他の実施形態においては、本発明の思想及び範囲を逸脱しない範囲内において他の構成部が使用可能である。
【００２５】
また、ある構成要素を「備える」という表現は、「開放型」の表現であり、当該構成要素が存在することを単に指し示すものに過ぎず、追加的な構成要素を排除するものと理解されてはならない。
【００２６】
さらに、「第１の、第２の」などの表現は、複数の構成要素を区別するための用途にのみ用いられる表現であり、構成要素間の順序やその他の特徴を限定しない。
【００２７】
さらにまた、本発明の「電源」は、「電圧」、「電力」、「電流」など通常の電気回路に使用可能な電気エネルギーのあらゆる種類を網羅するものである。
【００２８】
図１ａ及び図１ｂは、従来の技術の一実施形態による交流電源（ＡＣ）直結型ランプの実施形態を示す例示図であり、図２は、従来の技術の一実施形態による交流電源（ＡＣ）直結型ランプの実施形態を示す例示図である。
【００２９】
図１ａ及び図１ｂを参照すると、従来の発光ダイオード（ＬＥＤ）ランプは、図１ａに示すように、外部電源１２０がランプ１３０の電極の一方の端１２１にのみ接続される交流電源（ＡＣ）直結型（組込み型）ランプが絶縁型ドライブ方式により実現されたが、最近の発光ダイオード（ＬＥＤ）ランプは、図１ｂに示すように、外部電源１２０がランプ１３０の電極の両端１２１、１２２に接続される交流電源（ＡＣ）直結型（組込み型）ランプが非絶縁方式により実現される。
【００３０】
ところが、図２を参照すると、ユーザー２４０が直管型ランプ２３０を取り替えたりメンテナンスをしたりする場合、第２の電極２３２に直接的に当接されることがある。このとき、商用電源２１０と接続された安定器２２０が直管型ランプの第１の電極２３１を介して通電され、地面ＧＮＤにあるユーザーに漏れ電流が流れる虞があり、直管型ランプに過電圧が印加される虞がある。
【００３１】
図３は、本発明の一実施形態による漏れ電流保護回路を備える交流電源（ＡＣ）直結型ランプを示す構成図である。
【００３２】
図３を参照すると、本発明の漏れ電流保護回路を備える交流電源（ＡＣ）直結型ランプは、入力端３１０、整流回路３２０、制御モジュール３３０、スイッチモジュール３４０、光源３５０を備えていてもよい。
【００３３】
入力端３１０は、外部電源を入力される。安定器互換型ランプの場合、商用電源が安定器において所定の大きさの電源に変換されて入力されるが、本発明の交流電源（ＡＣ）直結型ランプは、１１０Ｖ、２２０Ｖ、３８０Ｖなどの商用電源をランプに直結するため、安定器が用いられない。
【００３４】
整流回路３２０は、入力端から入力された外部電源を整流する。このとき、整流回路は、ブリッジダイオードであることを特徴とする。
【００３５】
制御モジュール３３０は、整流回路の出力端に電気的に接続されて、整流回路、スイッチモジュール、光源のうちの少なくともいずれか一つの状態を感知して制御する。
【００３６】
光源３５０は、制御モジュールと電気的に接続されて、電源が印加されると光を照射する。このとき、前記光源は、発光ダイオード（ＬＥＤ）であることを特徴とする。
【００３７】
また、本発明の漏れ電流保護回路を備える交流電源（ＡＣ）直結型ランプは、電磁干渉（ＥＭＩ）フィルタモジュール３６０、バイパスダイオード３７０、電解キャパシタ３８０をさらに備えていてもよい。
【００３８】
電磁干渉（ＥＭＩ）フィルタモジュール３６０は、入力端３１０及び整流回路３２０の入力端と並列に接続される。電磁干渉（ＥＭＩ）フィルタとは、電磁波障害フィルタ（Ｅｌｅｃｔｒｏ Ｍａｇｎｅｔｉｃ Ｉｎｔｅｒｆｅｒｅｎｃｅ Ｆｉｌｔｅｒ）のことをいい、デジタル機器から発せられる電磁波障害または信号に対する雑音を除去する役割を果たす。
【００３９】
バイパスダイオード３７０は、整流回路の出力端と制御モジュールとの間に直列に接続されて、スイッチモジュールがオフ状態である場合に逆方向の電流を遮断する。例えば、入力端に印加される電源が非正常的である場合、スイッチモジュールの状態はオフ状態になる。
【００４０】
ところが、入力端に印加される電源が非正常的とは、入力電源の一方の端のノードは正常的に接続され、他方の端のノードはオープン状態であるなど色々な状態のことをいうが、入力電源のいずれか一方が接続状態になる場合、ドライブ回路である制御モジュールから逆方向の電流が入力端に逆バイアスされる可能性がある。このため、バイパスダイオードまたは逆バイアスダイオードなどの素子を適切に配設して、より安全なランプを実現することができる。
【００４１】
電解キャパシタ３８０は、整流回路の出力端と並列に接続されて、入力電源の歪みを補正する。入力電源は商用電源であるため交流状態で印加されるが、整流回路３２０を通過しながら入力された電源波形の歪みが発生する虞がある。電解キャパシタは入力電圧が過度に歪むことを防ぎ、ノイズフィルタリングの役割も果たすことができる。
【００４２】
また、本発明の漏れ電流保護回路を備える交流電源（ＡＣ）直結型ランプは、スイッチモジュール３４０を備えて電磁式スイッチの動作を用いて漏れ電流を防ぐ。このとき、入力端に外部電源が正常に入力される場合、スイッチモジュールはオン状態であり、入力端に外部電源が正常に入力されない場合、スイッチモジュールはオフになる。
【００４３】
入力端の上側ノードをＡノードとし、下側ノードをＢノードとしたとき、Ａノード及びＢノードが両方とも正常に接続されると、スイッチモジュールの電圧分配法則または過渡電圧抑制（ＴＶＳ）ダイオードの動作によりスイッチ素子が動作（ターンオン）し、接地も正常に接続されて本発明のランプは正常に動作する。
【００４４】
ところが、Ａノードが接続状態であるが、Ｂノードがオープン状態である場合、スイッチモジュールに電圧が印加されないため、スイッチ素子の動作も止まり（ターンオフ）、漏れ電流を防ぎながら光源の点灯が止まる。同様に、Ａノードがオープン状態であり、且つ、Ｂノードが接続状態である場合、スイッチモジュールに電圧が印加されないため、スイッチ素子の動作が止まり、光源の点灯などが止まる。
【００４５】
また、スイッチモジュール３４０は、整流ダイオード３４１、第１の抵抗３４２及び第２の抵抗３４３、スイッチ素子３４４、ＲＣフィルタ３４５、３４６を備えていてもよい。
【００４６】
整流ダイオード３４１は、入力端３１０と整流回路３２０の入力端との間のノードにおいて接続される。入力端から入力される電源は商用電源であり、交流の形式を有するが、整流ダイオードを通過すると、半波状に変換される。
【００４７】
第１の抵抗３４２及び第２の抵抗３４３は、整流ダイオードと直列に接続されて、電圧分配の役割を果たす。このとき、整流ダイオードを通過した入力端の入力電源は、第１の抵抗、第２の抵抗、その他の出力端の等価抵抗に応じて電圧分配または電流分配が行われる。
【００４８】
スイッチ素子３４４は、既に設定された条件に応じてオン／オフにする。このとき、スイッチ素子は、スイッチ素子に印加される電圧の大きさに応じてオン／オフにすることを特徴とする。
【００４９】
また、スイッチ素子は、サイリスタ（ＳＣＲ）または電界効果トランジスタ（ＦＥＴ）であることを特徴とし、電気的なスイッチ素子として使用可能なあらゆる半導体素子を用いて実現することができる。
【００５０】
本発明のスイッチ素子３４４は、サイリスタ（ＳＣＲ）により実現されてもよい。サイリスタ（ｔｈｙｒｉｓｔｏｒ；ＳＣＲ）は４層半導体素子であり、シリコン制御整流器とも呼ばれる。このようなサイリスタは、整流器の一種であり、ゲートから陰極にゲート電流を流して、陽極及び陰極間を導通させる。ゲートに所定の電流を通過させると、陽極及び陰極の間が導通（スイッチオン）されるという性質を有し、陽極及び陰極間の電流を所定の値以下に下げると停止（スイッチオフ）する。このため、サイリスタは無接点オン／オフスイッチとして動作することができる。
【００５１】
このようなサイリスタは、高電圧対電流を制御し易く、制御ゲインが高く、ゲート信号が消滅してもオン状態を維持することができる。なお、寿命が阪急気的であるため信頼性が高く、サージ電圧電流にも強く、小型／軽量であるため機器や装置に非常に設置し易いというメリットがある。
【００５２】
一方、本発明のスイッチ素子３４４は、電界効果トランジスタ（ＦＥＴ）により実現されてもよい。電界効果トランジスタ（ＦＥＴ）は、入力インピーダンスが非常に高いという特性を有し、電圧により駆動される。電界効果トランジスタ（ＦＥＴ）は、ゲートに印加される電圧の大きさに応じて、ドレインとソースとの間に流れる電流が大幅に変化する。このため、電界効果トランジスタ（ＦＥＴ）もまた、ゲートに印加される電圧の大きさに応じてオン／オフ状態を変化させることができるので、オン／オフスイッチとして用いることができる。
【００５３】
ＲＣフィルタ３４５、３４６は、ノイズフィルタリングの役割を果たす。入力電源から整流ダイオードと、第１の抵抗及び第２の抵抗を経た波形にはノイズが生じることがあるが、このようなノイズを除去するためにＲＣフィルタを用い、ノイズ除去度及び波形のために抵抗及びキャパシタの値を適切に調節することができる。
【００５４】
一方、本発明の漏れ電流保護回路を備える交流電源（ＡＣ）直結型ランプは、直管型ランプであることを特徴とする。入力端は、両端にそれぞれの入力電極をさらに備えることを特徴とする。
【００５５】
図４は、本発明の他の実施形態による漏れ電流保護回路を備える交流電源（ＡＣ）直結型ランプを示す例示図である。
【００５６】
図４を参照すると、本発明の交流電源（ＡＣ）直結型ランプは、スイッチモジュール３４０が保護抵抗３４７及び過渡電圧抑制（ＴＶＳ）ダイオード３４８を備えていてもよい。図４のランプは、図３のランプと基本的な構造が同じであるが、図３の第１の抵抗及び第２の抵抗の代わりに、保護抵抗及び過渡電圧抑制（ＴＶＳ）ダイオードを備える。このとき、図４に示すように、保護抵抗及び過渡電圧抑制（ＴＶＳ）ダイオードにより構成する場合、別途の電圧分配がなくても所定の電圧以上の電圧が印加されると直ちに作動し、ダイオードを効果的に保護し、信号のノイズを除去することができるというメリットがある。
【００５７】
過渡電圧抑制（ＴＶＳ）ダイオード３４８は、既に設定された電圧以上の電圧が印加されると動作する。このとき、過渡電圧抑制（ＴＶＳ）ダイオードは、ダイオードに印加される電圧が５４Ｖ以上である場合に動作することを特徴とする。このような過渡電圧抑制（ＴＶＳ）ダイオードは、高電圧過渡において敏感な電子機器を保護するために設計された電子部品であり、過電圧においてより早く応答することができ、正常的なダイオードよりも大きな断面積を有するとともに、所定のレベルに電圧を制限することにより作動する。一般的には、静電気放電またはデータラインと関連し、照明故障及び誘導性負荷スイッチングにより誘導される激しい圧力を防ぐために用いることができる。
【００５８】
また、過渡電圧抑制（ＴＶＳ）ダイオードは、静電気放電や誘導負荷スイッチングまたは誘導放電において発生する電気的な過渡状態から回路を保護するために用いられる。過渡電圧抑制（ＴＶＳ）においては、回路の損傷を与える電圧の流入に当たって、この電圧の大きさを回路が損傷されない程度に減らす。なお、過渡現象が発生すると、過渡電圧抑制（ＴＶＳ）は、直ちに制限電圧（Ｃｌａｍｐｉｎｇ Ｖｏｌｔａｇｅ）を基準として電圧を制限する。
【００５９】
保護抵抗３４７は、過渡電圧抑制（ＴＶＳ）ダイオード３４８と直列に接続されて、過渡電圧抑制（ＴＶＳ）ダイオードの損傷を防ぐ。入力端に電源が入力される場合、瞬間的なスパイク電流が通じることがあるが、保護抵抗の存在によりダイオードを保護することができる。
【００６０】
上述した本発明の実施形態は例示の目的のために開示されたものであり、これらにより本発明が限定されることはない。なお、本発明が属する技術分野において通常の知識を有する者であれば、本発明の思想及び範囲内において様々な修正及び変更を加えることができる筈であり、このような修正及び変更は本発明の範囲に属するものであると見なすべきである。
【符号の説明】
【００６１】
１２０：商用電源
１２１：ランプの第１の電極
１２２：ランプの第２の電極
１３０：ランプ
２１０：商用電源
２３０：直管型ランプ
２３１：直管型ランプの第１の電極
２３２：直管型ランプの第２の電極
２４０：ユーザー
３１０：入力端
３２０：整流回路
３３０：制御モジュール
３４０：スイッチモジュール
３４１：整流ダイオード
３４２：第１の抵抗
３４３：第２の抵抗
３４４：スイッチ素子
３４５、３４６：ＲＣフィルタ
３４７：保護抵抗
３４８：過渡電圧抑制（ＴＶＳ）ダイオード
３５０：光源
３６０：電磁干渉（ＥＭＩ）フィルタモジュール
３７０：バイパスダイオード
３８０：電解キャパシタ
【図１ａ】
2017063607.tif 000003
【図１ｂ】
2017063607.tif 000004
【図２】
2017063607.tif 000005
【図３】
2017063607.tif 000006
【図４】
2017063607.tif 000007